(57)【要約】【課題】シースの変形によって生じる熱応力を抑制しつつ、横方向への変形に対する強度向上を図ることができるガス絶縁母線の支持架台を得ること。【解決手段】支持架台３１は、シース２１を支持する支持架台であって、シースを両側から支持する２本の支持構造と、支持構造をそれぞれ支持する脚部４２と、を備え、支持構造は、シース側に設けられた鉛直部材３３と、脚部側に設けられた軸受部３４とを有して構成され、軸受部は、水平面に対して略直角に延びる回転軸Ｐを中心として回転変位可能とされる。【選択図】図２
2012228151.tif 000002
【特許請求の範囲】
【請求項１】
シースを支持する支持架台であって、
前記シースを両側から支持する２本の支持構造と、
前記支持構造をそれぞれ支持する脚部と、を備え、
前記支持構造は、前記シース側に設けられた鉛直部材と、前記脚部側に設けられた軸受部とを有して構成され、
前記軸受部は、水平面に対して略直角に延びる回転軸を中心として回転変位可能とされることを特徴とする支持架台。
【請求項２】
前記軸受部に対して前記脚部側に設けられた軸受ケースをさらに備え、
前記軸受部は、前記回転軸を中心として回転変位可能に前記軸受ケースに保持されることを特徴とする請求項１に記載の支持架台。
【請求項３】
前記軸受部は、前記軸受部を通過する前記回転軸を中心として回転変位可能とされることを特徴とする請求項２に記載の支持架台。
【請求項４】
前記軸受ケースには、前記支持構造同士の中心線を中心とする同心円状の収容部が形成され、
前記回転軸は、前記収容部に嵌まって前記中心線と重なる前記回転軸を中心として回転変位可能とされることを特徴とする請求項２または３に記載の支持架台。
【請求項５】
前記鉛直部材と前記軸受部は、前記シースの延長方向と略直角かつ略水平な回転軸を中心に回転可能に連結されることを特徴とする請求項１〜４のいずれか１つに記載の支持架台。
【発明の詳細な説明】
【技術分野】
【０００１】
本発明は、ガス絶縁母線の支持架台に関するものである。
【背景技術】
【０００２】
従来、ガス絶縁母線を支持する支持架台が用いられている。ガス絶縁母線は、内部に送電線を通すとともにＳＦ６（六フッ化硫黄）等の消弧性ガスが充填されたシースで構成される。例えば、特許文献１には、鉄構梁に固定されている台座からリンクや支持部材を介してシースを固定する、吊り下げ型の支持架台が開示されている。この支持架台では、リンク、支持部材などがピンを介して回転可能に連結されていること、および１本のリンク、支持部材でシースを支持していることにより、シースの回転変位によって生じる応力を抑制している。
【先行技術文献】
【特許文献】
【０００３】
【特許文献１】特開平１１−８９０６０号公報
【発明の概要】
【発明が解決しようとする課題】
【０００４】
しかしながら、上記従来の技術によれば、１本の支持部材やリンクでシースが支持されているので、シースの延長方向に対して直角かつ水平方向（以下、単に横方向ともいう）への変形に対して強度上の問題がある。一方、シースを支持する部材の本数を増やせば、シースの変形によって生じる熱応力を抑制しにくくなってしまうという問題がある。なお、上記従来の技術では、シースを吊り下げる吊り下げ型の支持架台を例に挙げているが、シースを下方から支える支持架台であっても同様の問題が生じる。
【０００５】
本発明は、上記に鑑みてなされたものであって、シースの変形によって生じる応力を抑制しつつ、横方向への変形に対する強度向上を図ることができるガス絶縁母線の支持架台を得ることを目的とする。
【課題を解決するための手段】
【０００６】
上述した課題を解決し、目的を達成するために、本発明は、シースを支持する支持架台であって、シースを両側から支持する２本の支持構造と、支持構造をそれぞれ支持する脚部と、を備え、支持構造は、シース側に設けられた鉛直部材と、脚部側に設けられた軸受部とを有して構成され、軸受部は、水平面に対して略直角に延びる回転軸を中心として回転変位可能とされることを特徴とする。
【発明の効果】
【０００７】
この発明によれば、２本の支持構造でシースを支持することで横方向への変形に対する強度向上を図りつつ、支持構造が回転変位可能となることでシースの変形によって生じる熱応力の抑制を図ることができるという効果を奏する。
【図面の簡単な説明】
【０００８】
【図１】図１は、本発明の実施の形態１にかかる支持架台に支持されたシースの平面図である。
【図２】図２は、図１に示す支持架台に支持されたシースのＡ−Ａ線に沿った矢視断面図である。
【図３】図３は、図２に示すＢ−Ｂ線に沿った矢視断面図である。
【図４】図４は、図２に示すＣ−Ｃ線に沿った矢視断面図である。
【図５】図５は、軸受部の平面図である。
【図６】図６は、上側シートの平面図である。
【図７】図７は、本発明の実施の形態１にかかる支持架台に支持されたシースの他の例を示す側面図である。
【発明を実施するための形態】
【０００９】
以下に、本発明の実施の形態にかかる支持架台を図面に基づいて詳細に説明する。なお、この実施の形態によりこの発明が限定されるものではない。
【００１０】
実施の形態１．
図１は、本発明の実施の形態１にかかる支持架台に支持されたシースの平面図である。図２は、図１に示す支持架台に支持されたシースのＡ−Ａ線に沿った矢視断面図である。図３は、図２に示すＢ−Ｂ線に沿った矢視断面図である。図４は、図２に示すＣ−Ｃ線に沿った矢視断面図である。図５は、軸受部の平面図である。図６は、上側シートの平面図である。なお、断面図の一部で、図面の明瞭化のためにハッチングを省略して示している。
【００１１】
支持架台３１は、ガス絶縁送電線のシース２１を下方から支持する。例えば、図１に示すように水平面内で屈曲するシース２１を下方から支持する。図１では、通常状態のシース２１を実線でシース２１ａとして示し、温度上昇などによる熱膨張で変形した状態のシース２１を破線でシース２１ｂとして示している。
【００１２】
図２に示すように、支持架台３１は、水平部材３２、鉛直部材３３、軸受部３４、ピン３６、止め輪３５（３５ａ，３５ｂ）、軸受ケ−ス蓋３７、軸受ケ−スシリンダ３８、軸受ケ−スベース３９、上側シート４０、下側シート４１、脚部４２を備えて構成され、地面１に固定される。
【００１３】
鉛直部材３３は、シース２１の延長方向と平行な中心線を跨ぐように２本設けられ、シース２１に直接当接して下方からシース２１を支持する。水平部材３２は、２本の鉛直部材３３の間に設けられる。水平部材３２は、その両端が鉛直部材３３に固定されており、鉛直部材３３同士の間隔を保持する機能および支持架台３１の強度を向上させる機能を発揮する。
【００１４】
鉛直部材３３の下端には、軸受部３４が連結されている。鉛直部材３３と軸受部３４とは、ピン３６を介して連結されており、回転軸Ｑを中心として矢印Ｆに示すように回転可能となっている。鉛直部材３３と軸受部３４とで、シース２１を支持する支持構造が構成される。ピン３６の両端には、止め輪３５が取り付けられており、ピン３６の抜け落ちを抑えている。
【００１５】
軸受部３４の下端は、軸受ケース５０に収容される。軸受ケース５０は、軸受ケ−ス蓋３７、軸受ケ−スシリンダ３８、軸受ケ−スベース３９を有して構成される。軸受ケース５０では、軸受ケ−ス蓋３７、軸受ケ−スシリンダ３８、および軸受ケ−スベース３９に囲まれた空間（収容部５０ａ）が形成され、軸受部３４の下端に設けられた底板３４ａがその収容部５０ａに嵌まり込む。
【００１６】
収容部５０ａ内では、底板３４ａの上側には上側シート４０が設けられ、下側には下側シート４１が設けられる。上側シート４０および下側シート４１には低摩擦係数の材料、例えばテフロン（登録商標）が使用される。
【００１７】
図４に示すように、収容部５０ａの平面形状は、２つの鉛直部材３３の中心線を中心とする同心円状の溝形状を呈している。また、軸受ケースシリンダ３８の内壁面は、底板３４ａの外周面と接している。すなわち、収容部５０ａを構成する溝の溝幅は、底板３４ａの直径と略等しくなっている。また、軸受ケース蓋３７は、軸受ケースシリンダ３８に固定されておらず、また、軸受部３４も軸受ケース５０に固定されていない。このような構成により、軸受部３４や鉛直部材３３は、回転軸Ｐを中心として矢印Ｅに示すような回転変位、および、軸受ケースシリンダ３８に形成された溝（収容部５０ａ）に沿った変位、すなわち回転軸Ｒを中心として矢印Ｇに示すような回転変位がある程度可能になる。
【００１８】
軸受ケース５０は、脚部４２に固定される。脚部４２は、地面１に固定される。図１に示すように、ガス絶縁送電線のシース２１が水平面上で屈曲する構成においては、温度上昇によりシース２１が熱膨張する場合に、シース２１が変形する場合がある（図１のシース２１ｂも参照）。
【００１９】
低摩擦係数の材料で構成された上側シート４０、下側シート４１の間で、底板３４ａが回転、移動することができるので、軸受部３４や鉛直部材３３が、回転軸Ｐを中心とする回転変位および回転軸Ｒを中心とする回転変位をすることが可能となる。そのため、シース２１で発生する曲げモーメントを低下させ、シース２１で発生する熱応力を抑制することができる。なお、回転軸Ｐは軸受部３４を通過する。
【００２０】
また、シース２１を２組の支持構造（鉛直部材３３と軸受部３４）で支持するので、図２に示すＹ方向に沿ったシース２１の変形に対する支持架台３１の強度の向上を図ることができる。
【００２１】
図７は、本発明の実施の形態１にかかる支持架台３１に支持されたシース２１の他の例を示す側面図である。図７に示す例では、シース２１の延びる方向と略平行かつ水平面に対して略直角となる平面内で屈曲するシース２１が支持架台３１によって支持されている。また、図７において、図１と同様に、通常状態のシース２１を実線でシース２１ａとして示し、温度上昇などによる熱膨張で変形した状態のシース２１を破線でシース２１ｂとして示している。
【００２２】
支持架台３１の支持構造は、上述したように、鉛直部材３３と軸受部３４とがピン３６で連結されて構成されるので、回転軸Ｑ（図２も参照）を中心として矢印Ｆに示すように回転変位が可能となっている。そのため、シース２１で発生する曲げモーメントを低下させ、シース２１で発生する熱応力を抑制することができる。
【００２３】
以上説明したように、この発明のガス絶縁母線の支持架台３１は、シース２１が熱膨張により水平面内及び鉛直平面内で屈曲した際に発生する熱応力を抑制するとともに、シース２１に対しては、延長方向に沿って延びる中心線を跨いだ両側で支持することにより、地震時などによって生じる横方向の変位を抑制することができる。
【産業上の利用可能性】
【００２４】
以上のように、本発明にかかる支持架台は、ガス絶縁母線としてのシースを支持する支持架台に有用であり、特に、熱膨張などにより水平面内やシースの延びる方向と略平行かつ水平面に対して略直角となる平面内で屈曲するシースを支持する支持架台に適している。
【符号の説明】
【００２５】
１  地面
２１  シース
２１ａ  シース
２１ｂ  シース
３１  支持架台
３２  水平部材
３３  鉛直部材
３４  軸受部
３４ａ  底板
３５  止め輪
３６  ピン
３７  軸受ケース蓋
３８  軸受ケースシリンダ
３９  軸受ケースベース
４０  上側シート
４１  下側シート
４２  脚部
５０  軸受ケース
５０ａ  収容部
Ｅ  矢印
Ｆ  矢印
Ｇ  矢印
Ｐ  回転軸
Ｑ  回転軸
Ｒ  回転軸
【図１】
2012228151.tif 000003
【図２】
2012228151.tif 000004
【図３】
2012228151.tif 000005
【図４】
2012228151.tif 000006
【図５】
2012228151.tif 000007
【図６】
2012228151.tif 000008
【図７】
2012228151.tif 000009